(57)【要約】【目的】取り扱いが容易で、迅速に電気泳動用ゲル担体が得られ、１回ごとに使い切りが可能なゲル作成用ユニットを得る。【構成】１泳動時に使用されるに必要な量の担体用部材叉は緩衝液を、可撓性部材により密封した密封体を提案すると共に、電磁的加熱手段を利用して加熱して電気泳動用ゲルのための液状ゲルを形成する。【選択図】図１
2004132906.tif 000002
【特許請求の範囲】
【請求項１】
泳動時に使用されるに必要な量の担体用部材叉は緩衝液を、可撓性部材により密封した密封体よりなる電気泳動用部材。
【請求項２】
担体用部材を内在させる前記密封体は、加熱した後、電気泳動槽上へ、前記可撓性部材から取り出して使用する電気泳動担体の取扱い方法。
【請求項３】
前記担体用部材が、ゲル状を形成して、可撓性部材に封入されてなる請求項１，２に記載の電気泳動用担体及びその取扱い方法。
【請求項４】
前記可とう性部材が、〜１２０℃前後まで加熱可能なパウチ状、カプセル状、を有する請求項１，２に記載の電気泳動担体及びその取扱い方法。
【請求項５】
前記加熱が、電気磁気的手法によるものである請求項２に記載の電気泳動担体の取扱い方法。
【発明の詳細な説明】
【０００１】
【産業上の利用分野】
本発明は、電気泳動に用いられる担体およびその取扱い方法に関する。
【０００２】
【従来の技術】
水平型サブマリンタイプといわれる電気泳動装置で使用される担体（支持体）は、実験者が、実験の目的に応じて、出発材料から調整するものであり、時間と手間を要する場合が多く、合理的、迅速な実験、試験を要する場合は、障害となっていた。
また、当該担体は、人体に有害な物質を含む場合も多いことから、調整等の取扱いには、十分な注意が、必要となる。
【０００３】
上記にかんがみ本発明は、１泳動時に使用されるに必要な量の予めゲル状に調整された担体用部材叉は緩衝液を、可撓性部材に封入して封入物を形成し、この封入物を、使用時、電子レンジ等の加熱部材で加熱し、加熱後、封入物からこれを取り出して使用することにより、手軽な、電気泳動用担体を実現可能とする。本発明は、そのまま、可撓性部材をはく離して、担体据え置き部に配置するよりはむしろ、加熱後、当該密封体から、ゲル状体を、押し出して、担体据え置き部上に流し込む様にして取り扱われる方が好ましい。
このように押し出し使用の場合、担体が加熱により流動化していることから、この担体を泳動槽上の担体据え置き部の主にトレー上に均一に所定の厚みで配置させることが可能である。
【０００４】
本発明における、担体用部材とは、加熱してカプセル、パウチ等の密封体から、取り出すだけで使用可能な状態に調整されていることが好ましく、真空密封された状態がより好ましい場合もある。
パウチとは、プラスチックシートにより、形成される袋状のものを示し、その大きさは、小さいものに限るものでは無い。
また、本発明における可撓性部材は、電子レンジ、湯等による加熱が可能な程度の耐熱性を有することが好ましく例えば、ナイロン、ＰＶＡ，ポリプロピレン、ポリスチレン、ポリエチレン等が例示され、更に、当該可撓性部材には、これら複数の当該プラスチックシートを重ね合わせたものも耐熱性、強度を得る等の目的から採用される場合もある。
また本発明の加熱手段を電子レンジとする場合は、可撓性部材として金属フイルム、電磁波不透過部材以外の使用が適当であるが、これらを部分的に使用して、電磁波の透過率を調整して、加熱温度調節を行う場合は、本発明で使用し得る。
また、本発明の加熱手段を電気磁気的手法の一つである、ＩＨ（インダクションヒーテイング）を利用することも可能である。この場合は、可撓性部材の材質を金属部材及びプラスチックシートと金属シートの組み合わせとすることが好ましい。
【０００５】
本発明では、さらに一回の実験に使用される量の緩衝液をパウチ状、カプセル状に封入して使用されることを特徴とする。
このように、おおよそ一回の使用に必要な、ゲル、溶液を１パッケージとして構成することにより、手軽で、有害な物質を含むゲル等を容易に取り扱うことを可能とするのである。
１泳動時とは、おおよそ、一回の泳動実験を示すものであるが、一回に複数の電気泳動槽を駆動する場合は、複数の電気泳動に耐え得る量を一つの可撓性部材に封入する場合もある。
本発明は、予め調整されゲル状化した電気泳動用担体と、これを封入する為の可とう性部材よりなる。
調整の程度は、可とう性部材より取り出して即使用可能な状態の他、更に他の添加物を加えてある状態等も例示し得る。
このような、可撓性部材に封入された、担体としては、例えば、　アガロース、ポリアクリルアミド、ポリビニルアルコール等が例示され、
緩衝液としては、例えば、ＴＢＥバッファ、ＴＡＥバッファ等が例示される。
加熱条件を電子レンジで断続的な加熱を行わせる場合、その手間等を考慮すると、１回の加熱で済ますことが期待されるその際、容器に、アルミ箔等の電磁波シールドを部分的に設けることで、ゲルの温度上昇を抑制可能である。
シールドは、部分的でよく、格子状に付着して設けたり、電磁波シールドを付着した外箱的なものを設け、その中にいれて加熱するような態様であっても良い。
【０００６】
【実施例】
ゲル担体の封入体について
ＳＥＡＫＥＭ（登録商標）２重量％を、ＴＢＥバッファーと混ぜてオートクレーブ等をもちいて滅菌加熱を行いながら十分溶解して溶液を形成する。この溶液１２ｇ程度を、ポリエチレン等で形成したパウチに熱圧着するなどして封入し、冷却する。
その一例を図１に示す。
１０は、パウチ本体であり、内部に担体１１が封入されている。１２は、熱圧着部であり、１３は、把持部、１４は、切り込み部である。
使用時、
電子レンジ（６００ｗ）で　１０〜２０秒、連続的或いは断続的に加熱する。途中、可撓性部材が膨らむ程度で加熱を場合により中止する。
加熱は断続的であることが好ましく数秒間隔で２〜１０回ぐらいが好ましい。
加熱後、使用者は、好ましくはゲル状の担体よりは冷えている把持部１３を持ち、切り込み部１４からその一部を切り離して、抽出口１５を形成し、押し出すようにして、担体据え置き部に配置する。担体据え置き部には、担体の面積を画定するために壁面を有するトレーがおかれており、押し出された加熱ゲル状物が、当該壁面で、外方向への流動性が阻止され、冷却固化することで歩留まりよく担体が形成される。尚、壁面を有するトレーは、サブマリン型ゲル電気泳動で、使用されているものをそのまま利用できる。
【０００７】
緩衝液の封入体について、
上述と同様の可撓性部材により、１回の電気泳動で使用される量の緩衝液（例えば６０ｍｌ）を封入して、図１のようなパウチ、バッグを得る。使用時は、上述と同様、切り込み部から、その一部を切り離して、電気泳動槽へ、緩衝液を注入する。
【０００８】
本発明における担体を密封した封入体は、このように予め調整された担体を、１泳動実験に使用される量ごとに１パッケージ化して提供すると共に、担体においては、電子レンジ、お湯、オートクレーブにより加熱して使用される。
電子レンジによる加熱は、その担体の量にも、よるが、数秒から数十秒で十分であり、加熱後これを担体据え置き部に押し出し抽出して配置させることにより、より迅速且つ容易に、電気泳動用担体を担体据え置き部上に形成できる。
【０００９】
【発明の効果】
以上詳述のごとく本発明は、一回の実験ごとに可撓性部材に封入されたゲル状の担体を加熱するだけで使用可能とすることにより、より迅速で、合理的な電気泳動実験を可能とする等の効果を有する。
【図面の簡単な説明】
【図１】本発明の一実施例を示す図。
【符号の簡単な説明】
１０　パウチ本体
１１　ゲル状担体
１２　切れ込み部
１３　把持部
１４　熱圧着部
【図１】
2004132906.tif 000003